(57)【要約】【課題】袋本体の側部にガセットを形成した紙袋において、袋本体の間口を狭めることなく、外部空間に連通する隙間が生じるのを防ぐ。【解決手段】互いに対向して間に収納空間を形成する第１面および第２面、少なくとも一方の側端部で収納空間の側に折り込まれたガセットの第１面側の部分を形成する第１ガセット面、ならびにガセットの第２面側の部分を形成する第２ガセット面を有し、上端部では第１ガセット面と第２ガセット面との間が封止され、かつ第１面の内側、第１ガセット面の第１面に対向する側、および第２面の内側の第２ガセット面に対向しない部分によって開口が形成される袋本体と、互いに対向して間に開口に連通する空間を形成する第１延長面および第２延長面を有する延長部材と、第１延長面の内側に取り付けられる第１部材、および第２延長面の内側に取り付けられる第２部材を含むジッパーテープとを備える紙袋が提供される。【選択図】図１
2020200093.tif 000002
【特許請求の範囲】
【請求項１】
互いに対向して間に収納空間を形成する第１面および第２面、少なくとも一方の側端部で前記収納空間の側に折り込まれたガセットの前記第１面側の部分を形成する第１ガセット面、ならびに前記ガセットの前記第２面側の部分を形成する第２ガセット面を有し、上端部では前記第１ガセット面と前記第２ガセット面との間が封止され、かつ前記第１面の内側、前記第１ガセット面の前記第１面に対向する側、および前記第２面の内側の前記第２ガセット面に対向しない部分によって開口が形成される袋本体と、
互いに対向して間に前記開口に連通する空間を形成する第１延長面および第２延長面を有する延長部材と、
前記第１延長面の内側に取り付けられる第１部材、および前記第２延長面の内側に取り付けられる第２部材を含むジッパーテープと
を備える紙袋。
【請求項２】
前記延長部材の側端部の近傍で前記第１延長面および前記第２延長面を貫通して取り付けられる留め具をさらに備える、請求項１に記載の紙袋。
【請求項３】
前記延長部材は、前記袋本体よりも広幅であり、前記第１延長面および前記第２延長面のそれぞれの内側が前記第１面および前記第２面のそれぞれの外側に接合される、請求項１または請求項２に記載の紙袋。
【請求項４】
互いに対向して間に収納空間を形成する第１面および第２面、少なくとも一方の側端部で前記収納空間の側に折り込まれたガセットの前記第１面側の部分を形成する第１ガセット面、ならびに前記ガセットの前記第２面側の部分を形成する第２ガセット面を有し、上端部では前記第２ガセット面と前記第２面との間が封止され、かつ前記第１面の内側、前記第１ガセット面の前記第１面に対向する側、および前記第２面の内側の前記第２ガセット面に対向しない部分によって開口が形成される袋本体と、
前記第１面の内側に取り付けられる第１部材と、前記第１ガセット面の前記第１面に対向する側、および前記第２面の内側の前記第２ガセット面に対向しない部分に取り付けられる第２部材とを含むジッパーテープと
を備える紙袋。
【請求項５】
前記袋本体の上端部で前記第１面および前記第２面をそれぞれ外側に折り返し、前記第１ガセット面および前記第２ガセット面を前記第２面とともに前記第２面の外側に折り返すことによって、前記第１ガセット面と前記第２ガセット面との間、および前記第２ガセット面と前記第２面との間が封止される、請求項１から請求項４のいずれか１項に記載の紙袋。
【請求項６】
前記上端部で前記第１ガセット面の前記第１面に対向する側と前記第２面の外側とにまたがるテープを接着することによって、前記第１ガセット面と前記第２ガセット面との間、および前記第２ガセット面と前記第２面との間が封止される、請求項１から請求項４のいずれか１項に記載の紙袋。
【請求項７】
前記ジッパーテープの第１部材および第２部材は、それぞれ接着剤を用いて前記袋本体または前記延長部材に接合される、請求項１から請求項６のいずれか１項に記載の紙袋。
【請求項８】
それぞれ接着剤を用いて前記袋本体または前記延長部材に接合される第１および第２のフィルムをさらに備え、
前記ジッパーテープの第１部材は前記第１のフィルムに熱溶着によって接合され、前記ジッパーテープの第２部材は前記第２のフィルムに熱溶着によって接合される、請求項１から請求項６のいずれか１項に記載の紙袋。
【請求項９】
前記ジッパーテープの第１部材は、第１の係合部ならびに前記第１の係合部の根部から幅方向両側にそれぞれ延びて基部を形成する第１および第２のフランジを含み、
前記ジッパーテープの第２部材は、前記第１の係合部に係合可能な第２の係合部ならびに前記第２の係合部の根部から幅方向両側にそれぞれ延びる第３および第４のフランジによって形成される基部を含み、前記第４のフランジは前記第２の係合部の根部に対して前記収納空間側に位置し、
前記第１および第２のフランジは前記袋本体、前記延長部材または前記第１のフィルムに接合され、
前記第３のフランジは前記袋本体、前記延長部材または前記第２のフィルムに接合され、前記第４のフランジは前記袋本体、前記延長部材および前記第２のフィルムに接合されない、請求項７または請求項８に記載の紙袋。
【請求項１０】
前記ジッパーテープの第１部材は、１または複数の係合部を含み、
前記ジッパーテープの第２部材は、前記第１部材の１または複数の係合部にそれぞれ係合可能な１または複数の係合部を含む、請求項１から請求項９のいずれか１項に記載の紙袋。
【請求項１１】
前記ジッパーテープの第１部材は、雄側係合部および第１の鉤部を含み、
前記ジッパーテープの第２部材は、前記雄側係合部に係合可能な雌側係合部および前記第１の鉤部に係合可能な第２の鉤部を含む、請求項１から請求項９のいずれか１項に記載の紙袋。
【請求項１２】
前記袋本体は、クラフト紙によって構成される、請求項１から請求項１１のいずれか１項に記載の紙袋。
【請求項１３】
互いに対向して間に収納空間を形成する第１面および第２面、少なくとも一方の側端部で前記収納空間の側に折り込まれたガセットの前記第１面側の部分を形成する第１ガセット面、ならびに前記ガセットの前記第２面側の部分を形成する第２ガセット面を有する袋本体の上端部で前記第１ガセット面と前記第２ガセット面との間を封止し、かつ前記第１面の内側、前記第１ガセット面の前記第１面に対向する側、および前記第２面の内側の前記第２ガセット面に対向しない部分によって開口を形成する工程と、
互いに対向する第１延長面および第２延長面を有する延長部材を前記袋本体に取り付けて、前記第１延長面と前記第２延長面との間に形成される空間を前記開口に連通させる工程と、
前記第１延長面の内側にジッパーテープの第１部材を取り付け、前記第２延長面の内側に前記ジッパーテープの第２部材を取り付ける工程と
を含む紙袋の製造方法。
【請求項１４】
互いに対向して間に収納空間を形成する第１面および第２面、少なくとも一方の側端部で前記収納空間の側に折り込まれたガセットの前記第１面側の部分を形成する第１ガセット面、ならびに前記ガセットの前記第２面側の部分を形成する第２ガセット面を有する袋本体の上端部で前記第２ガセット面と前記第２面との間を封止し、かつ前記第１面の内側、前記第１ガセット面の前記第１面に対向する側、および前記第２面の内側の前記第２ガセット面に対向しない部分によって開口を形成する工程と、
前記第１面の内側にジッパーテープの第１部材を取り付け、前記第１ガセット面の前記第１面に対向する側および前記第２面の内側の前記第２ガセット面に対向しない部分に前記ジッパーテープの第２部材を取り付ける工程と
を含む紙袋の製造方法。
【発明の詳細な説明】
【技術分野】
【０００１】
本発明は、紙袋および紙袋の製造方法に関する。
【背景技術】
【０００２】
紙を材料としたいわゆる紙袋は、従来から広く使用されているが、近年、廃棄時の環境負荷が低いことから改めて注目され、用途の拡大が見込まれている。そのような紙袋に樹脂製のジッパー（ファスナー）を取り付けて再封可能にする技術の例が、例えば特許文献１に記載されている。特許文献１には、側面にガセットが形成された筒状紙袋本体の開口部にまたがって開口部を閉塞する当て紙を接着し、当て紙の内面側に樹脂製のファスナーを取り付け、さらにファスナーよりも先端側に当て紙を引裂く開封用のカットテープを取り付けることが記載されている。また、特許文献１には、紙袋本体のガセットを含む開口部両側端部に形成された段切り部を紙袋本体表面側に折り曲げて補強部を形成し、さらに補強部を当て紙で包囲することが記載されている。
【０００３】
上記のような特許文献１に記載された技術によれば、紙袋の開封の容易さを維持しつつ、ファスナーの取り付けによって紙袋を再封可能な小出し用袋として使用することができる。また、紙袋本体のガセットの端部を補強することによって、収納状態においてガセットの端部が破れたりすることがなく、またファスナーの開閉時にも損傷することがない。
【先行技術文献】
【特許文献】
【０００４】
【特許文献１】特開平８−１３３３０３号公報
【発明の概要】
【発明が解決しようとする課題】
【０００５】
上記の特許文献１に記載された技術では、紙袋本体のガセットを含む開口部両側端部が補強部によって封止されるため、ガセットを形成したことによって紙袋本体の内部から外部空間に連通する隙間が生じることはない。しかしながら、補強部によって紙袋本体の上端部における開口部の一部が閉塞されるため、紙袋本体の内部からファスナーを介して外部空間に連通する間口が狭まる（特許文献１の図７参照）。
【０００６】
そこで、本発明は、袋本体の側部にガセットを形成した紙袋において、袋本体の間口を狭めることなく、外部空間に連通する隙間が生じるのを防ぐことが可能な、紙袋および紙袋の製造方法を提供することを目的とする。
【課題を解決するための手段】
【０００７】
本発明のある観点によれば、互いに対向して間に収納空間を形成する第１面および第２面、少なくとも一方の側端部で収納空間の側に折り込まれたガセットの第１面側の部分を形成する第１ガセット面、ならびにガセットの第２面側の部分を形成する第２ガセット面を有し、上端部では第１ガセット面と第２ガセット面との間が封止され、かつ第１面の内側、第１ガセット面の第１面に対向する側、および第２面の内側の第２ガセット面に対向しない部分によって開口が形成される袋本体と、互いに対向して間に開口に連通する空間を形成する第１延長面および第２延長面を有する延長部材と、第１延長面の内側に取り付けられる第１部材、および第２延長面の内側に取り付けられる第２部材を含むジッパーテープとを備える紙袋が提供される。
【０００８】
本発明の別の観点によれば、互いに対向して間に収納空間を形成する第１面および第２面、少なくとも一方の側端部で収納空間の側に折り込まれたガセットの第１面側の部分を形成する第１ガセット面、ならびにガセットの第２面側の部分を形成する第２ガセット面を有し、上端部では第２ガセット面と第２面との間が封止され、かつ第１面の内側、第１ガセット面の第１面に対向する側、および第２面の内側の第２ガセット面に対向しない部分によって開口が形成される袋本体と、第１面の内側に取り付けられる第１部材と、第１ガセット面の第１面に対向する側、および第２面の内側の第２ガセット面に対向しない部分に取り付けられる第２部材とを含むジッパーテープとを備える紙袋が提供される。
【０００９】
本発明のさらに別の観点によれば、互いに対向して間に収納空間を形成する第１面および第２面、少なくとも一方の側端部で収納空間の側に折り込まれたガセットの第１面側の部分を形成する第１ガセット面、ならびにガセットの第２面側の部分を形成する第２ガセット面を有する袋本体の上端部で第１ガセット面と第２ガセット面との間を封止し、かつ第１面の内側、第１ガセット面の第１面に対向する側、および第２面の内側の第２ガセット面に対向しない部分によって開口を形成する工程と、互いに対向する第１延長面および第２延長面を有する延長部材を袋本体に取り付けて、第１延長面と第２延長面との間に形成される空間を開口に連通させる工程と、第１延長面の内側にジッパーテープの第１部材を取り付け、第２延長面の内側にジッパーテープの第２部材を取り付ける工程とを含む紙袋の製造方法が提供される。
【００１０】
本発明のさらに別の観点によれば、互いに対向して間に収納空間を形成する第１面および第２面、少なくとも一方の側端部で収納空間の側に折り込まれたガセットの第１面側の部分を形成する第１ガセット面、ならびにガセットの第２面側の部分を形成する第２ガセット面を有する袋本体の上端部で第２ガセット面と第２面との間を封止し、かつ第１面の内側、第１ガセット面の第１面に対向する側、および第２面の内側の第２ガセット面に対向しない部分によって開口を形成する工程と、第１面の内側にジッパーテープの第１部材を取り付け、第１ガセット面の第１面に対向する側および第２面の内側の第２ガセット面に対向しない部分にジッパーテープの第２部材を取り付ける工程とを含む紙袋の製造方法が提供される。
【発明の効果】
【００１１】
上記の構成によれば、袋本体の上端部に形成される収納空間の間口が袋本体の第１面の幅にほぼ等しく、収納空間を間口を狭めることなくジッパーテープを介して外部空間に連通させることができる。また、ジッパーテープの取り付け位置に応じて第１ガセット面と第２ガセット面との間、または第２ガセット面と第２面との間を封止することによって、外部空間に連通する隙間が生じるのを防ぐことができる。
【図面の簡単な説明】
【００１２】
【図１】本発明の第１の実施形態に係る紙袋の平面図である。
【図２】図１のII−II線断面図である。
【図３】第１の実施形態に係る紙袋を図１に示す矢印IIIの方向から見た例を示す写真である。
【図４】本発明の第２の実施形態に係る紙袋の平面図である。
【図５Ａ】折り返しによってガセット部を封止する方法の例を示す写真である。
【図５Ｂ】折り返しによってガセット部を封止する方法の例を示す写真である。
【図５Ｃ】折り返しによってガセット部を封止する方法の例を示す写真である。
【図５Ｄ】折り返しによってガセット部を封止する方法の例を示す写真である。
【図６Ａ】テープを接着することによってガセット部を封止する方法の例を示す写真である。
【図６Ｂ】テープを接着することによってガセット部を封止する方法の例を示す写真である。
【図７】本発明の実施形態におけるジッパーテープの構成の第１の例を示す図である。
【図８】本発明の実施形態におけるジッパーテープの構成の第２の例を示す図である。
【図９】本発明の実施形態におけるジッパーテープの構成の第３の例を示す図である。
【発明を実施するための形態】
【００１３】
以下に添付図面を参照しながら、本発明の好適な実施形態について詳細に説明する。なお、本明細書および図面において、実質的に同一の機能構成を有する構成要素については、同一の符号を付することにより重複した説明を省略する。
【００１４】
なお、本発明の実施形態に係る紙袋は、袋本体が紙素材を基本的な材料として構成される各種の袋状容器を含む。例えば、クラフトパルプを原料とした無漂白の紙素材（クラフト紙）によって構成されるクラフト袋も、本発明の実施形態に係る紙袋に含まれる。袋本体は、必ずしも全体が紙素材で構成されていなくてもよく、例えば防水などの目的で内側に樹脂が被覆または貼付されていてもよい。また、後述する延長部材は、袋本体と同様の紙素材で構成されてもよいし、樹脂などの紙素材以外の材料で構成されてもよい。
【００１５】
また、本明細書において、「封止」は、必ずしも隙間が全くない「密封」を意味しない。例えば、以下で説明する本発明の実施形態では紙袋の所定の面同士の間が封止されるが、紙袋の用途によっては必ずしも全面が密着した封止がされる必要はなく、部分的に封止したり、又はステープルや、ハトメ等を用いて非連続的に封止してもよい。また、紙袋の収納空間の封止についても同様であり、例えば内容物が漏洩するような大きさの隙間がない状態で封止されていればよく、隙間なく密封されることは要しない。
【００１６】
（第１の実施形態）
図１は本発明の第１の実施形態に係る紙袋の平面図であり、図２は図１のII−II線断面図である。図示された例において、紙袋１００は、袋本体１１０と、延長部材１２０と、ジッパーテープ１３０とを含む。
【００１７】
袋本体１１０は、紙素材のシートで形成され、互いに対向して間に収納空間ＳＰを形成する第１面１１１Ａおよび第２面１１１Ｂを有する。さらに、袋本体１１０は、両方の側端部１１２で収納空間ＳＰの側に折り込まれたガセット１１３を形成する第１ガセット面１１３Ａおよび第２ガセット面１１３Ｂを有する。なお、図２に示された例では第１面１１１Ａ、第２面１１１Ｂ、第１ガセット面１１３Ａおよび第２ガセット面１１３Ｂの間にシートの折り返し部が形成されているが、シートの折り返し部に代えて貼り合わせ部が形成されてもよい。上記のそれぞれの面は、同じシートを折り返して形成されてもよいし、異なるシートを貼り合わせることによって形成されてもよい。
【００１８】
ここで、図２に示されるように、本実施形態において、袋本体１１０の上端部１１４では、第１ガセット面１１３Ａと第２ガセット面１１３Ｂとの間が封止され、かつ第１面１１１Ａの内側、第１ガセット面１１３Ａの第１面１１１Ａに対向する側、および第２面１１１Ｂの内側の第２ガセット面１１３Ｂに対向しない部分によって開口が形成される。なお、図示された例のように上端部１１４で第２ガセット面１１３Ｂと第２面との間も封止するか否かは任意である。
【００１９】
延長部材１２０は、互いに対向する第１延長面１２１Ａおよび第２延長面１２１Ｂを有する。第１延長面１２１Ａと第２延長面１２１Ｂとの間に形成される空間は、上記のように袋本体１１０の上端部に形成される開口に連通する。図示された例において、延長部材１２０は、袋本体１１０よりも広幅であり、袋本体１１０の上端部１１４の外側に被せられることによって袋本体１１０を実質的に延長する。この場合、第１延長面１２１Ａおよび第２延長面１２１Ｂのそれぞれの内側が、袋本体１１０の第１面１１１Ａおよび第２面１１１Ｂのそれぞれの外側に接合される。図示された例では、延長部材１２０の両方の側端部１２２と、側端部１２２と袋本体１１０の側端部１１２との間に位置する延長部材１２０の下端部１２３で第１延長面１２１Ａと第２延長面１２１Ｂとの間が封止されている。
【００２０】
ジッパーテープ１３０は、延長部材１２０の第１延長面１２１Ａの内側に取り付けられる第１部材１３０Ａと、第２延長面１２１Ｂの内側に取り付けられる第２部材１３０Ｂとを含む。後述するように、第１部材１３０Ａおよび第２部材１３０Ｂは、それぞれ、係合部１３１および基部１３２を含む長尺状の部材である。互いに係合可能な公知のプロファイルで形成された係合部１３１を第１部材１３０Ａと第２部材１３０Ｂとの間で係合させたり、係合を解除したりすることによって、紙袋１００の封止、開封および再封が可能になる。
【００２１】
本実施形態において、ジッパーテープ１３０の第１部材１３０Ａおよび第２部材１３０Ｂは、ホットメルトなどの接着剤を用いて延長部材１２０の第１延長面１２１Ａおよび第２延長面１２１Ｂにそれぞれ接合されてもよい。あるいは、延長部材１２０の第１延長面１２１Ａに第１のフィルムが、第２延長面１２１Ｂに第２のフィルムが、それぞれホットメルトなどの接着剤を用いて接合され、ジッパーテープ１３０の第１部材１３０Ａが第１のフィルムに、第２部材１３０Ｂが第２のフィルムに、それぞれ熱溶着によって接合されてもよい。また、上述のように延長部材１２０は紙素材以外の材料、例えば樹脂で形成されてもよいため、ジッパーテープ１３０の第１部材１３０Ａおよび第２部材１３０Ｂを延長部材１２０に直接的に熱溶着することも可能でありうる。
【００２２】
さらに、本実施形態では、延長部材１２０の両方の側端部１２２の近傍で、第１延長面１２１Ａおよび第２延長面１２１Ｂを貫通して留め具１２５が取り付けられる。図１に示された例において留め具１２５は一般にハトメ（鳩目、またはグロメット）と呼ばれるものであり、第１延長面１２１Ａおよび第２延長面１２１Ｂに形成された貫通孔の周縁に取り付けられるが、留め具１２５の形状および取り付け方はこの例には限られない。留め具１２５を取り付けることによって、延長部材１２０の第１延長面１２１Ａおよび第２延長面１２１Ｂの間に形成される開口の端部を補強することができる。また、例えばハトメのように開孔を有する留め具１２５を取り付けた場合、開孔に紐や治具などを通すことによって紙袋１００の取り扱いが容易になる。
【００２３】
図３は、本実施形態に係る紙袋を図１に示す矢印IIIの方向から見た例を示す写真である。この例に示されるように、本実施形態では、袋本体１１０の上端部１１４において第１面１１１Ａと第１ガセット面１１３Ａとの間が封止されず、第１面１１１Ａの内側、第１ガセット面１１３Ａの第１面１１１Ａに対向する側、および第２面１１１Ｂの内側の第２ガセット面１１３Ｂに対向しない部分によって開口が形成されることによって、袋本体１１０の上端部１１４に形成される収納空間ＳＰの間口が第１面１１１Ａの幅にほぼ等しく、収納空間ＳＰを間口を狭めることなく延長部材１２０の内部空間、すなわち第１延長面１２１Ａと第２延長面１２１Ｂとの間の空間およびジッパーテープ１３０を介して外部空間に連通させることができる。
【００２４】
また、本実施形態では、袋本体１１０の上端部１１４において第１ガセット面１１３Ａと第２ガセット面１１３Ｂとの間が封止されるため、延長部材１２０との接続部分でガセット１１３の上端部が外部空間に連通する隙間にならず、ジッパーテープ１３０の係合部１３１を係合させたときに袋本体１１０の収納空間ＳＰを隙間を開けず封止することができる。
【００２５】
なお、上記の例において、延長部材１２０は袋本体１１０の上端部１１４の外側に被せられることによって袋本体１１０を実質的に延長する部材として説明されたが、他の例において、延長部材は袋本体の上端部の内側に挿入されることによって袋本体を実質的に延長する部材であってもよい。この場合、延長部材は、袋本体よりも狭幅であり、第１延長面および第２延長面のそれぞれの外側が袋本体の第１面および第２面のそれぞれの内側に接合される。
【００２６】
（第２の実施形態）
図４は、本発明の第２の実施形態に係る紙袋の平面図である。図示された例において、紙袋２００は、袋本体１１０と、ジッパーテープ１３０とを含む。本実施形態において、袋本体１１０およびジッパーテープ１３０は上記の第１の実施形態と同様に構成されるが、紙袋２００が延長部材を含まず、ジッパーテープ１３０が袋本体１１０に取り付けられる点が異なる。この場合、袋本体１１０の上端部１１４では、第２ガセット面１１３Ｂと第２面１１１Ｂとの間が封止され、かつ第１面１１１Ａの内側、第１ガセット面１１３Ａの第１面１１１Ａに対向する側、および第２面１１１Ｂの内側の第２ガセット面１１３Ｂに対向しない部分によって開口が形成される。つまり、上端部１１４において開口が形成される部分は第１の実施形態と同様である。なお、本実施形態では、上端部１１４で第１ガセット面１１３Ａと第２ガセット面１１３Ｂとの間も封止するか否かは任意である。
【００２７】
本実施形態において、ジッパーテープ１３０の第１部材１３０Ａは袋本体１１０の第１面１１１Ａの内側に取り付けられ、第２部材１３０Ｂは第１ガセット面１１３Ａの第１面１１１Ａに対向する側、および第２面１１１Ｂの内側の第２ガセット面１１３Ｂに対向しない部分に取り付けられる。第１の実施形態と同様に、ジッパーテープ１３０の第１部材１３０Ａおよび第２部材１３０Ｂは、ホットメルトなどの接着剤を用いて上記の袋本体１１０の面に接合されてもよいし、あるいは上記の袋本体１１０の面にホットメルトなどの接着剤を用いて第１および第２のフィルムが接合され、ジッパーテープ１３０の第１部材１３０Ａが第１のフィルムに、第２部材１３０Ｂが第２のフィルムに、それぞれ熱溶着されてもよい。
【００２８】
上記のような第２の実施形態でも、袋本体１１０の上端部１１４において第１面１１１Ａと第１ガセット面１１３Ａとの間が封止されず、第１面１１１Ａの内側、第１ガセット面１１３Ａの第１面１１１Ａに対向する側、および第２面１１１Ｂの内側の第２ガセット面１１３Ｂに対向しない部分によって開口が形成されることによって、袋本体１１０の上端部１１４に形成される収納空間ＳＰの間口が第１面１１１Ａの幅にほぼ等しく、収納空間ＳＰを間口を狭めることなくジッパーテープ１３０を介して外部空間に連通させることができる。また、本実施形態では、袋本体１１０の上端部１１４において第２ガセット面１１３Ｂと第２面１１１Ｂとの間が封止されるため、上記のようにジッパーテープ１３０を取り付けた場合にガセット１１３と第２面１１１Ｂとの間が外部空間に連通する隙間にならず、ジッパーテープ１３０の係合部１３１を係合させたときに袋本体１１０の収納空間ＳＰを隙間を開けず封止することができる。
【００２９】
（ガセット部の封止方法の例）
以下では、袋本体１１０の上端部において、第１ガセット面１１３Ａと第２ガセット面１１３Ｂとの間、および第２ガセット面１１３Ｂと第２面１１１Ｂとの間の両方を封止する方法の例について説明する。なお、上述したように、本発明の第１および第２の実施形態では、袋本体１１０の上端部において、第１ガセット面１１３Ａと第２ガセット面１１３Ｂとの間、および第２ガセット面１１３Ｂと第２面１１１Ｂとの間の少なくともいずれかが封止されればよいため、以下で説明する方法によらず、例えば接着剤を用いていずれか一方の間だけを封止してもよい。
【００３０】
図５Ａから図５Ｄは、袋本体１１０の上端部１１４で第１面１１１Ａおよび第２面１１１Ｂをそれぞれ外側に折り返し、このとき第１ガセット面１１３Ａおよび第２ガセット面１１３Ｂを第２面１１１Ｂとともに第２面１１１Ｂの外側に折り返す方法を示す写真である。それぞれの写真には、他の写真の視点が矢印Ａ〜Ｄによって示されている。写真に示されるように、折り返しを容易にするために第１ガセット面１１３Ａと第２ガセット面１１３Ｂとの間を切開してもよい。また、上記と同様にして袋本体１１０の上端部１１４を内側に折り返してもよい。
【００３１】
図６Ａおよび図６Ｂは、袋本体１１０の上端部１１４で第１ガセット面１１３Ａの第１面１１１Ａに対向する側と、第２面１１１Ｂの外側とにまたがるテープを接着する方法を示す写真である。それぞれの写真には、他の写真の視点が矢印Ａ，Ｂによって示されている。
【００３２】
（ジッパーテープの構成例）
以下では、ジッパーテープ１３０の第１部材１３０Ａおよび第２部材１３０Ｂの構成例について説明する。なお、第１部材１３０Ａおよび第２部材１３０Ｂは、袋本体１１０、延長部材１２０またはフィルムへの取り付けに関して互換的である。つまり、例えば、第１部材１３０Ａが延長部材１２０の第１延長面１２１Ａに取り付けられ、第２部材１３０Ｂが第２延長面１２１Ｂに取り付けられることが説明されていても、他の例では第１部材１３０Ａを第２延長面１２１Ｂに取り付け、第２部材１３０Ｂを第１延長面１２１Ａに取り付けることが可能である。
【００３３】
図７は、本発明の実施形態におけるジッパーテープの構成の第１の例を示す図である。図示された例において、第１部材１３０Ａは、第１の係合部１３１Ａと、第１の係合部１３１Ａの根部から幅方向両側にそれぞれ延びて基部を形成する第１のフランジ１３２Ａおよび第２のフランジ１３２Ｂとを含む。また、第２部材１３０Ｂは、第１の係合部１３１Ａに係合可能な第２の係合部１３１Ｂと、第２の係合部１３１Ｂの根部から幅方向両側にそれぞれ延びて基部を形成する第３のフランジ１３２Ｃおよび第４のフランジ１３２Ｄとを含む。ここで、第４のフランジ１３２Ｄは、袋本体１１０の収納空間側に位置する。
【００３４】
図示された例において、第１部材１３０Ａおよび第２部材１３０Ｂは、それぞれ第１のフィルム１３５Ａおよび第２のフィルム１３５Ｂに熱溶着によって接合され、第１のフィルム１３５Ａおよび第２のフィルム１３５Ｂがそれぞれ延長部材１２０（第１の実施形態の場合）または袋本体１１０（第２の実施形態の場合）にホットメルトなどの接着剤を用いて接合される。より具体的には、第１部材１３０Ａについては、第１のフランジ１３２Ａおよび第２のフランジ１３２Ｂがそれぞれ第１のフィルム１３５Ａに接合される。一方、第２部材１３０Ｂについては、第３のフランジ１３２Ｃが第２のフィルム１３５Ｂに接合されるが、第４のフランジ１３２Ｄは第２のフィルム１３５Ｂに接合されない。
【００３５】
上記のようにジッパーテープの一方の側で収納空間側に位置する基部を非接合とすることによって、例えば国際公開第２０１５／００５２１４号などに記載されているように、袋の収納空間側からの力では係合部の係合が解除されにくくなる一方で、開口側からの力では係合部の係合を容易に解除することができる。例えば紙袋に重量物を収納する場合において、上記のような構成は有用でありうる。
【００３６】
なお、上記の例ではジッパーテープの第１部材１３０Ａおよび第２部材１３０Ｂがそれぞれ第１のフィルム１３５Ａおよび第２のフィルム１３５Ｂを介して延長部材１２０または袋本体１１０に取り付けられるが、第１部材１３０Ａおよび第２部材１３０Ｂを直接的に延長部材１２０または袋本体１１０に取り付ける場合にも同様の構成が可能である。また、図示していないが、図７から図９に示されたそれぞれの例において、第１のフランジ１３２Ａ、第２のフランジ１３２Ｂ、第３のフランジ１３２Ｃ、および第４のフランジ１３２Ｄのすべてが袋本体１１０、延長部材１２０または第１のフィルム１３５Ａおよび第２のフィルム１３５Ｂに接合される通常の構成を採用することも可能である。
【００３７】
図８は、本発明の実施形態におけるジッパーテープの構成の第２の例を示す図である。図示された例において、第１部材１３０Ａは、図７の例で説明した要素に加えて、第３の係合部１３１Ｃをさらに含む。同様に、第２部材１３０Ｂは、第４の係合部１３１Ｄをさらに含む。第３の係合部１３１Ｃと第４の係合部１３１Ｄとは、互いに係合可能である。このように、ジッパーテープの第１部材１３０Ａおよび第２部材１３０Ｂは、それぞれ互いに係合可能な複数の係合部を含んでもよい。
【００３８】
図９は、本発明の実施形態におけるジッパーテープの構成の第３の例を示す図である。図示された例において、第１部材１３０Ａは、図７の例で説明した要素に加えて、第１の鉤部１３１Ｅをさらに含む。同様に、第２部材１３０Ｂは、第１の鉤部１３１Ｅに係合可能な第２の鉤部１３１Ｆをさらに含む。図示されているように、第１の係合部１３１Ａは雄側係合部であり、第２の係合部１３１Ｂは雌側係合部である。このように、ジッパーテープの第１部材１３０Ａおよび第２部材１３０Ｂは、係合部として、互いに係合可能な雄側および雌側の係合部、または互いに係合可能な鉤部を含み、これらの係合部を組み合わせてもよい。
【００３９】
以上、添付図面を参照しながら本発明の好適な実施形態について詳細に説明したが、本発明はこれらの例に限定されない。本発明の属する技術の分野の当業者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４０】
１００，２００…紙袋、１１０…袋本体、１１１Ａ…第１面、１１１Ｂ…第２面、１１２…側端部、１１３…ガセット、１１３Ａ…第１ガセット面、１１３Ｂ…第２ガセット面、１１４…上端部、１２０…延長部材、１２１Ａ…第１延長面、１２１Ｂ…第２延長面、１２２…側端部、１２３…下端部、１２５…留め具、１３０…ジッパーテープ、１３０Ａ…第１部材、１３０Ｂ…第２部材、１３１…係合部、１３１Ａ…第１の係合部、１３１Ｂ…第２の係合部、１３１Ｃ…第３の係合部、１３１Ｄ…第４の係合部、１３１Ｅ…第１の鉤部、１３１Ｆ…第２の鉤部、１３２…基部、１３２Ａ…第１のフランジ、１３２Ｂ…第２のフランジ、１３２Ｃ…第３のフランジ、１３２Ｄ…第４のフランジ、１３５Ａ…第１のフィルム、１３５Ｂ…第２のフィルム。
【図１】
2020200093.tif 000003
【図２】
2020200093.tif 000004
【図３】
2020200093.tif 000005
【図４】
2020200093.tif 000006
【図５Ａ】
2020200093.tif 000007
【図５Ｂ】
2020200093.tif 000008
【図５Ｃ】
2020200093.tif 000009
【図５Ｄ】
2020200093.tif 000010
【図６Ａ】
2020200093.tif 000011
【図６Ｂ】
2020200093.tif 000012
【図７】
2020200093.tif 000013
【図８】
2020200093.tif 000014
【図９】
2020200093.tif 000015